(57)【要約】【課題】高湿度時の垂れによる及び低温低湿時の板状化による隣接線香間の相互接触による消火が全くない渦巻き線香、及びかかる渦巻き線香を釣台に安定して釣り下げることができ、また線香の最内周部を安全に自然消火することができ、さらに小型で簡易に取り扱うことができる釣金具を提供する。【解決手段】円形断面を有する渦巻き線香において、水平面に静置した状態の半径方向の隣接線香間の距離が線香の断面径の１倍より大きく３倍より小さい渦巻き線香。渦巻き線香を釣台に釣り下げるための釣金具であって、円柱部とつば部とからなる本体と、円柱部の上面中央に設けられた釣り下げ手段とからなり、渦巻き線香の最内周部が円柱部を抱き込むように最内周部をつば部の上に載せてから釣台に釣り下げる釣金具において、つば部の上に載っている渦巻き線香の最内周部が円柱部の中心からみて０．５周より多く１．５周より少ない釣金具。【選択図】        図４
2004275313.tif 000002
【特許請求の範囲】
【請求項１】
円形断面を有する渦巻き線香において、水平面に静置した状態の半径方向の隣接線香間の距離が線香の断面径の１倍より大きく３倍より小さいことを特徴とする渦巻き線香。
【請求項２】
渦巻き線香の最内周部の内側に５ｍｍ〜２５ｍｍの直径の円柱を抱き込むことができる空間が存在することを特徴とする請求項１に記載の渦巻き線香。
【請求項３】
請求項１又は２に記載の渦巻き線香を釣台に釣り下げるための釣金具であって、円柱部とつば部とからなる本体と、円柱部の上面中央に設けられた釣り下げ手段とからなり、渦巻き線香の最内周部が円柱部を抱き込むように最内周部をつば部の上に載せてから釣台に釣り下げる釣金具において、つば部の上に載っている渦巻き線香の最内周部が円柱部の中心からみて０．５周より多く１．５周より少ないことを特徴とする釣金具。
【発明の詳細な説明】
【０００１】
【発明が属する技術分野】
本発明は、葬儀後に仏壇等で焚かれる渦巻き線香、及びかかる渦巻き線香を釣台に釣り下げるための釣金具に関する。
【０００２】
【従来の技術】
渦巻き線香は、明治時代に大阪で発明されたものであり、葬儀の日から４９日間の間、仏壇等で線香の火を絶やさないため、長時間点火時間を維持できるようにしたものである。
【０００３】
従来の最も一般的な渦巻き線香は、渦巻き状に側縁を密接して平坦に巻かれたものであり、線香の中央端部に釣り糸が練り込まれ、この釣り糸を金属製の灰受け皿の一端に針金を逆Ｌ字状に立設した釣台（松風渦巻き線香釣台）の針金の先端に掛け、かくしておわん型に垂れ下がった渦巻き線香の下端に点火して線香を焚くようにして使用するものである。
【０００４】
かかる渦巻き線香は、梅雨時のように湿度の高いときは大きく垂れ下がり、釣台底に接触して容易に消火する。この場合、一般に釣台底に熱伝導率の低い不燃材パットを置いて垂れ下がった線香の消火を防止するが、燃焼している外周とそれに隣接する内周の二周分の線香が垂れ下がったときはそれらの隣接線香同士が接触して容易に消火する問題がある。また、かかる渦巻き線香は、冬期の低温低湿度のときは適度なおわん型に垂れ下がらず、板状のままであり、従って外周の燃焼部分が内周の線香に接触して容易に消火する問題がある。
【０００５】
これらの問題に対して、耐熱製の灰受け皿の中央に傘状に盛り上げた部分を設けてその先端で渦巻き線香の中心部を下面から支持するようにしたものが提案されている（特許文献１）。この方法は、傘状に盛り上げた部分の側面が線香のある程度の垂れ防止効果を有するが、不十分で確実性が低い。特にユーザーが完全に渦巻き線香の中心部にセットし、その状態が長時間保たれる場合はある程度効果を発揮するが、少しでも中心がずれるとその効果は著しく低下する。また、この方法では構造上、本体の体積が大きくなるとともに組み立てが複雑である（渦巻き線香はその使用目的上、使い慣れたユーザーが存在しない）。
【０００６】
さらに、灰受け皿中央部に固定用部品を設け、それに二枚のカーボンファイバー製の板状体を交叉状に咬合立体化して固定し、その上に渦巻き線香を円錐状にかぶせるようにしたものが提案されている（特許文献２）。しかしながら、この方法は、説明書通り完全な形でセットして使用することが困難であるとともに、板状体が不安定で安全面から十分なものとは言えない。ユーザーが使い慣れた頃には、使用必要期間が既に過ぎている（一回最長４９日間使用、一般に生涯二回使用）。
【０００７】
【特許文献１】
特開昭５５−１３８号公報
【特許文献２】
特開平９−２７１４３９号公報
【０００８】
【発明が解決しようとする課題】
本発明は、かかる従来技術の現状に鑑み創案されたものであり、その目的は夏の高湿度時の垂れによる及び冬の低温低湿時の板状化による隣接線香間の相互接触による消火が全くない渦巻き線香、及びかかる渦巻き線香を市場の大半を占める松風渦巻き線香釣台に安定して釣り下げることができ、また線香の最内周部を安全に自然消火することができ、さらに小型で簡易に取り扱うことができる釣金具を提供することである。
【０００９】
【課題を解決するための手段】
本発明は、かかる目的を達成するために、渦巻き線香の構成、及びかかる渦巻き線香を釣台に釣り下げるための簡易な釣金具について鋭意検討した結果、本発明の完成に至った。
【００１０】
即ち、本発明は、円形断面を有する渦巻き線香において、水平面に静置した状態の半径方向の隣接線香間の距離が線香の断面径の１倍より大きく３倍より小さいことを特徴とする渦巻き線香である。
【００１１】
本発明の渦巻き線香の好ましい態様では、渦巻き線香の最内周部の内側に５ｍｍ〜２５ｍｍの直径の円柱を抱き込むことができる空間が存在する。
【００１２】
また、本発明は、上記渦巻き線香を釣台に釣り下げるための釣金具であって、円柱部とつば部とからなる本体と、円柱部の上面中央に設けられた釣り下げ手段とからなり、渦巻き線香の最内周部が円柱部を抱き込むように最内周部をつば部の上に載せてから釣台に釣り下げる釣金具において、つば部の上に載っている渦巻き線香の最内周部が円柱部の中心からみて０．５周より多く１．５周より少ないことを特徴とする釣金具である。
【００１３】
【発明の実施の形態】
本発明の渦巻き線香は、静岡以西の西日本で死亡直後に柩や位牌の前に、その後仏壇等で焚かれるときに使用されるものであり、円形断面を有する線香を渦巻き状に形成したタイプのものである。本発明の渦巻き線香には、蚊の駆除を目的とする蚊取線香は含まれない。
【００１４】
本発明の渦巻き線香は、図１に示すように水平面に静置した状態では、半径方向の隣接線香間の距離が断面径の１倍より大きく３倍より小さいことを特徴とする。一方、従来の渦巻き線香は、図２に示すように水平面に静置した状態では、半径方向の隣接線香間の距離がほとんどないかもしくは隣接線香が互いに密接しているものであり、又は隣接線香間に間隙があってもせいぜい線香の断面径より小さいものである。また、従来の渦巻き線香は、図２に示すように最内周部の端に釣台に釣り下げるための釣り糸が練り込まれている。
【００１５】
本発明の渦巻き線香は、このように従来のものに比べて半径方向の隣接線香間の距離を十分にとることにより、夏期の高湿度時に燃焼している外周とそれに隣接する内周の線香が一緒に垂れ下がってもそれらの隣接線香同士の接触による消火が全くないし、冬期の低温低湿時期の板状化（垂れ下がらない）による隣接線香同士の接触による消火が全くない。
【００１６】
本発明の渦巻き線香において、水平面に静置した状態の半径方向の隣接線香間の距離を線香の断面径の１倍より大きく３倍より小さくした理由は、断面径の１倍以下であると使用時に隣接線香同士が接触して消火する可能性があり、断面径の３倍以上であると渦巻き線香の寸法が異常に大きくなって包装コストや流通コストが多大になり経済的に好ましくないからである。好ましくは、本発明の渦巻き線香の上記隣接線香間の距離は、線香の断面径の１．１倍〜２．０倍であり、より好ましくは１．２倍〜１．８倍、さらに好ましくは１．２倍〜１．５倍である。
【００１７】
また、本発明の渦巻き線香は、水平にしたときにその最内周部の内側に５ｍｍ〜２５ｍｍの直径の円柱を鉛直に抱き込むことができる空間を存在させることができる。この空間は、釣台に釣り下げるための後述の釣金具、または下から渦巻き線香を支えるタイプの線香台で使用するために好適である。
【００１８】
次に本発明の渦巻き線香を釣台に釣り下げるための釣金具について説明する。本発明の釣金具は、市場の大半を占める松風渦巻き線香釣台又はそれに類似した構造を有する釣台に上述の本発明の渦巻き線香を釣り下げるための補助器具である。
【００１９】
本発明の釣金具は、図３に示すように円柱部とつば部からなる本体と、円柱部の上面中央に設けられた釣り下げ手段とから構成される。本発明の釣金具は、本発明の渦巻き線香に取り付けられたとき、図４に示すように円柱部が渦巻き線香の最内周部によって抱きかかえられ、つば部の上に少なくとも渦巻き線香の最内周部の一部が載置されるように設計されている。本発明の釣金具は熱伝導性の高い金属性から作られており、従って線香の燃焼部分が釣金具に到達すると熱を吸収し速やかに消火する。
【００２０】
本発明の釣金具は、つば部の上に載っている渦巻き線香の最内周部が円柱部の中心からみて０．５周より多く１．５周より少ないように設計されていることを特徴とする。このようにつば部の上に渦巻き線香の最内周部を載せるようにしたのは、線香の燃焼部分が残り少なくなったときに金属製のつば部に触れて安全に自然消火するようにしたためである。
【００２１】
本発明の釣金具において、つば部の上に載っている渦巻き線香の最内周部を０．５周より多く１．５周より少なくした理由は、０．５周以下であると渦巻き線香の最内周部が円周部をしっかりと抱きかかえることができないため自然消火するときに下方に落下するおそれがあり、１．５周以上であると燃焼せずに残る線香が多くなるため経済的に好ましくないからである。好ましくはつば部の上に載っている渦巻き線香の最内周部は円柱部の中心からみて０．７周〜１．３周であり、より好ましくは０．８周〜１．２周である。
【００２２】
本発明の釣金具は、さらに円柱部の上面中央に釣台に釣り下げるための釣り下げ手段を有する。釣り下げ手段としては、渦巻き線香を安定して釣り下げることができれば特に限定はなく、例えば図３に示すように釣金具本体上部に環状のものを設けることができる。
【００２３】
本発明の釣金具の使用方法としては、まず本発明の渦巻き線香の最内周部に釣金具の円柱部を下から挿入して、線香の最内周部が釣金具の円柱部を抱きかかえて最内周部がつば部の上に載るようにし、次にそのような状態のままで釣金具の釣り下げ手段を釣台（例えば松風渦巻き線香釣台）の釣り下げ部に釣り下げることによって行われる。具体的には図５のような状態で本発明の渦巻き線香と釣金具は使用される。
【００２４】
【発明の効果】
本発明の渦巻き線香は、上述のように構成されているので以下のような効果を奏することができる。
（１）夏の高湿度時の垂れによる隣接線香間の相互接触による自然消火が全くない。
（２）冬の低温低湿時の板状化による隣接線香間の相互接触による自然消火が全くない。
（３）市場の大半を占める松風渦巻き線香釣台に使用できる。
【００２５】
また、本発明の釣金具は上述のように構成されているので以下のような効果を奏することができる。
（１）燃焼している渦巻き線香を使い切る直前で安全に自然消火することができる。
（２）燃焼している渦巻き線香が使い切る直前に自然消火した後に下方に落下することが全くない。
（３）容積が小さく、使用説明書がなくても容易に使用できる。
（４）市場の大半を占める松風渦巻き線香釣台に使用できる。
【図面の簡単な説明】
【図１】水平面に静置した状態の本発明の渦巻き線香を上から見た概略図である。
【図２】水平面に静置した状態の従来の渦巻き線香を上から見た概略図である。
【図３】本発明の釣金具の概略的な斜視図である。
【図４】本発明の渦巻き線香に本発明の釣金具を付けて水平面に静置した状態を上から見た概略図である。
【図５】本発明の渦巻き線香を使用して本発明の渦巻き線香を釣台に釣り下げた状態を示す概略図である。
【図１】
2004275313.tif 000003
【図２】
2004275313.tif 000004
【図３】
2004275313.tif 000005
【図４】
2004275313.tif 000006
【図５】
2004275313.tif 000007